(57)【要約】【課題】２次電池を充電する際の過充電を防止でき、２次電池が空状態になった場合でも、非接触充電装置の充電機能を復旧させて的確に充電できる小形電気機器を提供する。【解決手段】非接触充電装置３は、共振回路１５と整流回路１６とを備えている。共振回路１５は、２次コイル１３と、同コイル１３に並列接続される共振コンデンサー１４を含む。整流回路１６と２次電池１１との間に、充放電制御回路１９と電圧監視回路２０を設ける。共振回路１５には、共振コンデンサー１４のキャパシタンスを変更する切換えスイッチ２５を設ける。２次電池１１が満充電された状態において、充放電制御回路１９で切換えスイッチ２５を切換えて、共振回路１５のインピーダンスを変更し、共振回路１５を受電状態が最適な第１受電状態から、受電状態が著しく低下する第２受電状態に変更する。【選択図】図１
2013212043.tif 000002
【特許請求の範囲】
【請求項１】
機器本体（１２）に２次電池（１１）と、非接触式の充電器（２）に対応する非接触充電装置（３）とが設けてある小形電気機器であって、
非接触充電装置（３）は、充電器（２）の１次コイル（７）に対応して設けられる２次コイル（１３）と、２次コイル（１３）と並列に接続される共振コンデンサー（１４）を含む共振回路（１５）と、共振回路（１５）と２次電池（１１）との間に配置される整流回路（１６）とを備えており、
整流回路（１６）と２次電池（１１）との間に、充放電制御回路（１９）と、充電電流の電圧値および／または電流値を監視する充電電力監視回路（２０・２１）が設けられており、
共振回路（１５）には、共振コンデンサー（１４）および／または２次コイル（１３）の接続状態を切換えて、共振回路（１５）のインピーダンスを大小に切換える切換えスイッチ（２５）が設けられており、
充電電力監視回路（２０・２１）が、２次電池（１１）の電圧値および／または電流値が所定値に達したことを検知した満充電状態において、充放電制御回路（１９）で切換えスイッチ（２５）を切換えて、共振回路（１５）を受電状態が最適な第１受電状態から、受電電力が著しく低下する第２受電状態に変更することを特徴とする非接触充電装置を備える小形電気機器。
【請求項２】
充電電力監視回路が、電圧監視回路（２０）と電流監視回路（２１）の少なくともいずれか一方で構成されており、
前記切換えスイッチ（２５）が、共振コンデンサー（１４）と直列に接続してある請求項１に記載の非接触充電装置を備える小形電気機器。
【請求項３】
充電電力監視回路が、電圧監視回路（２０）と電流監視回路（２１）の少なくともいずれか一方で構成されており、
前記切換えスイッチ（２５）が、共振コンデンサー（１４）と並列に接続されて、その一端が２次コイル（１３）の中途部（２７）に接続してある請求項１に記載の非接触充電装置を備える小形電気機器。
【請求項４】
充電器（２）と非接触充電装置（３）との少なくともいずれか一方に、２次電池（１１）が満充電されたことを表示する表示構造（２６）が設けられており、
表示構造（２６）が、発光表示具、発音表示具、発振表示具、映像表示具のいずれかひとつで構成してある請求項１から３のいずれかひとつに記載の非接触充電装置を備える小形電気機器。
【請求項５】
充放電制御回路（１９）が、整流回路（１６）から供給される充電電力を２次電池（１１）と機器本体（１２）とのいずれか一方へ供給し、あるいは２次電池（１１）の電力を機器本体（１２）へ供給できるように構成されており、
２次電池（１１）が満充電された後に、整流回路（１６）から供給される僅かな電力を、充放電制御回路（１９）で機器本体（１２）へ供給して消費させる請求項１から４のいずれかひとつに記載の非接触充電装置を備える小形電気機器。
【請求項６】
非接触充電装置（３）に２次電池（１１）の温度を検知する温度センサー（４５）が設けられており、
温度センサー（４５）が２次電池（１１）の温度が所定値に達したことを検知した状態において、充放電制御回路（１９）で切換えスイッチ（２５）を切換えて、２次電池（１１）の充電度合とは無関係に、共振回路（１５）を受電状態が最適な第１受電状態から、受電電力が著しく低下する第２受電状態に変更する請求項１から５のいずれかひとつに記載の非接触充電装置を備える小形電気機器。
【請求項７】
小形電気機器の機器本体（１２）に設けた２次電池（１１）を、非接触式の充電器（２）で機器本体（１２）に設けた非接触充電装置（３）を介して充電する充電システムであって、
充電器（２）は、充電器本体（４）の内部に、整流回路および電圧調整回路を含む制御回路（５）と、制御回路（５）から出力された電流を高周波電流に調整して１次コイル（７）に出力する発振回路（６）と、１次側の共振コンデンサー（８）を備えており、
非接触充電装置（３）は、充電器（２）の１次コイル（７）に対応して設けられる２次コイル（１３）と、２次コイル（１３）と並列に接続される共振コンデンサー（１４）を含む共振回路（１５）と、共振回路（１５）と２次電池（１１）との間に配置される整流回路（１６）とを備えており、
整流回路（１６）と２次電池（１１）との間に、充放電制御回路（１９）と、充電電流の電圧値および／または電流値を監視する充電電力監視回路（２０・２１）が設けられており、
共振回路（１５）には、共振コンデンサー（１４）および／または２次コイル（１３）の接続状態を切換えて、共振回路（１５）のインピーダンスを大小に切換える切換えスイッチ（２５）が設けられており、
充電電力監視回路（２０・２１）が、２次電池（１１）の電圧値および／または電流値が所定値に達したことを検知した満充電状態において、充放電制御回路（１９）で切換えスイッチ（２５）を切換えて、共振回路（１５）を受電状態が最適な第１受電状態から、受電電力が著しく低下する第２受電状態に変更することを特徴とする非接触式の充電システム。
【請求項８】
１次コイル（７）と２次コイル（１３）との間の電磁誘導作用に並行して、漏れ磁束を捕捉するセンシングコイル（２８）が充電器（２）に設けられており、
共振回路（１５）の受電状態が第２受電状態に変化したことをセンシングコイル（２８）で検知して、充電器（２）の充電動作を停止する請求項７に記載の非接触式の充電システム。
【請求項９】
非接触充電装置（３）に２次電池（１１）の温度を検知する温度センサー（４５）が設けられており、
温度センサー（４５）が２次電池（１１）の温度が所定値に達したことを検知した状態において、充放電制御回路（１９）で切換えスイッチ（２５）を切換えて、２次電池（１１）の充電度合とは無関係に、共振回路（１５）を受電状態が最適な第１受電状態から、受電電力が著しく低下する第２受電状態に変更する請求項７または８に記載の非接触式の充電システム。
【発明の詳細な説明】
【技術分野】
【０００１】
本発明は、２次電池を充電するための非接触充電装置を備えている小形電気機器、および非接触式の充電システムに関する。
【背景技術】
【０００２】
小形電気機器における２次電池の充電方式には、充電器と小形電気機器の端子同士を接続する接触充電方式と、高周波電磁誘導作用を利用する非接触充電方式とがある。いずれの場合にも、２次電池が満充電状態を越えて過剰に充電されるのを防ぐ必要がある。とくに、携帯電話やノートパソコンなどの、携帯式の電気機器の電源として多用されるリチウムイオン２次電池は、他の２次電池に比べてエネルギー密度が大きく、過充電時に異常過熱や発火を生じる可能性が高いことから、過充電状態に陥るのを確実に防止する必要がある。
【０００３】
この種の過充電防止機能を備えている非接触充電装置として、例えば特許文献１の充電回路が公知である。そこではＰＨＳ電話機に非接触式の充電回路を設けて、充電器と充電回路との間の電磁誘導作用で電力を電話機側へ伝送し、電話機の非水電解質２次電池（リチウムイオン２次電池）を充電できるようにしている。充電回路は、受電側コイル、共振コンデンサ、および電界効果トランジスタを備えた共振回路と、共振回路で受電した高周波電流を整流する整流回路などを備えており、整流回路を介して供給される電力で非水電解質２次電池を充電する。
【０００４】
充電回路には、共振回路および整流回路以外に、電池電圧検出回路、充電電流検出回路、満充電検出回路、定電圧定電流制御回路、充電用の主回路をオン・オフするスイッチ素子などが設けてある。満充電検出回路は、充電電流検出回路が検出した電流値に基づいて充電完了を検出し、スイッチ素子をオフ状態に切換えて、非水電解質２次電池に対する充電を停止し過充電を防止している。また、電池電圧検出回路で充電電流の電圧値を常時検知し、並行して充電電流検出回路で充電電流の電流値を常時検知している。電圧値と電流値のいずれか一方が所定の値を越えた場合には、定電圧定電流制御回路で電界効果トランジスタに印加されるベース電圧を制限して、電界効果トランジスタの出力電圧を低下させる。つまり、電界効果トランジスタを可変抵抗素子として機能させることにより、非水電解質２次電池の充電状態に応じて共振回路のインピーダンスを変化させて、定電流充電および定電圧充電を行えるようにしている。
【０００５】
特許文献２においては、１次コイルを備えた充電器本体と、同本体に装着される情報通知ブロックとで充電器を構成し、充電器本体に負荷機器を装着することにより、負荷機器に設けた２次電池を非接触状態で充電できるようにしている。情報通知ブロックには補助コイルと発光ダイオード（情報通知手段）が設けてあり、１次コイルと負荷機器側の２次コイルとの間で電力の伝送を行う際に、１次コイルと補助コイルとの間の電磁誘導作用で生じる電力を利用して発光ダイオードを点灯できるようにしている。このように、充電器の側で発光ダイオードを点灯させると、負荷機器の２次電池が充電中であることをユーザーに知らせることができる。特許文献２には、発光ダイオードに換えて、液晶ディスプレイ、振動発生用のモータ、スピーカなどを情報通知手段とすることが開示されている。
【先行技術文献】
【特許文献】
【０００６】
【特許文献１】特開２０００−２８７３７５号公報（段落番号００２０、図１）
【特許文献２】特開２０１１−０１０４４４号公報（段落番号００２６、図１）
【発明の概要】
【発明が解決しようとする課題】
【０００７】
特許文献１の充電回路では、充電電流検出回路が検出した電流値に基づいて、スイッチ素子を満充電検出回路でオフ状態に切換え、非水電解質２次電池に対する充電を停止するので過充電を防止することができる。しかし、ＰＨＳ電話機が長期間放置されるなどにより、非水電解質２次電池が無電圧状態、もしくは過放電状態などの低電圧状態になった場合に、充電回路を構成する各回路を作動させるだけの電力が得られないため、ＰＨＳ電話機を充電器に装着したとしても２次電池を直ちに充電できるわけではない。その場合には、電話機から取外した２次電池の接続端子に充電電流を供給して接触充電方式で充電するしかないが、電話機に付属している充電器では充電できないためユーザーの混乱を招いてしまう。
【０００８】
本発明の目的は、２次電池を非接触状態で適切に充電しながら、２次電池が満充電された後は、充電器と非接触充電装置との間の電力伝送を著しく低下させて、２次電池が過充電状態に陥るのを防止できる非接触充電装置を備えている小形電気機器、および非接触式の充電システムを提供することにある。
本発明の目的は、２次電池が空状態になった場合でも、非接触充電装置の充電機能を復旧させて確実に２次電池を充電できる非接触充電装置を備えている小形電気機器、および非接触式の充電システムを提供することにある。
本発明の目的は、充電時に２次電池が異常な高温状態になった場合に、直ちに充電器と非接触充電装置との間の電力伝送を著しく低下させて、２次電池が損傷するのを未然に防止し、あるいは電力が無駄に消費されるのを防止できる小形電気機器、および非接触式の充電システムを提供することにある。
【課題を解決するための手段】
【０００９】
本発明に係る非接触充電装置を備える小形電気機器は、機器本体１２に２次電池１１と、非接触式の充電器２に対応する非接触充電装置３とが設けてある。図１に示すように、非接触充電装置３は、充電器２の１次コイル７に対応して設けられる２次コイル１３と、２次コイル１３と並列に接続される共振コンデンサー１４を含む共振回路１５と、共振回路１５と２次電池１１との間に配置される整流回路１６とを備えている。整流回路１６と２次電池１１との間に、充放電制御回路１９と、充電電流の電圧値および／または電流値を監視する充電電力監視回路２０・２１を設ける。共振回路１５には、共振コンデンサー１４および／または２次コイル１３の接続状態を切換えて、共振回路１５のインピーダンスを大小に切換える切換えスイッチ２５を設ける。充電電力監視回路２０・２１が、２次電池１１の電圧値および／または電流値が所定値に達したことを検知した満充電状態において、充放電制御回路１９で切換えスイッチ２５を切換えて、共振回路１５を受電状態が最適な第１受電状態から、受電電力が著しく低下する第２受電状態に変更することを特徴とする。
【００１０】
充電電力監視回路は、電圧監視回路２０と電流監視回路２１の少なくともいずれか一方で構成する。切換えスイッチ２５は、共振コンデンサー１４と直列に接続する（図１および３参照）。
【００１１】
充電電力監視回路は、電圧監視回路２０と電流監視回路２１の少なくともいずれか一方で構成する。切換えスイッチ２５は、共振コンデンサー１４と並列に接続して、その一端を２次コイル１３の中途部２７に接続する（図２および図４参照）。
【００１２】
充電器２と非接触充電装置３との少なくともいずれか一方に、２次電池１１が満充電されたことを表示する表示構造を設ける。表示構造は、発光表示具、発音表示具、発振表示具、映像表示具のいずれかひとつで構成する。
【００１３】
充放電制御回路１９は、整流回路１６から供給される充電電力を２次電池１１と機器本体１２とのいずれか一方へ供給し、あるいは２次電池１１の電力を機器本体１２へ供給できるように構成する。２次電池１１が満充電された後に、整流回路１６から供給される僅かな電力を、充放電制御回路１９で機器本体１２へ供給して消費させるようにする。
【００１４】
図１０に示すように、非接触充電装置３に２次電池１１の温度を検知する温度センサー４５を設ける。温度センサー４５が２次電池１１の温度が所定値に達したことを検知した状態において、充放電制御回路１９で切換えスイッチ２５を切換えて、２次電池１１の充電度合とは無関係に、共振回路１５を受電状態が最適な第１受電状態から、受電電力が著しく低下する第２受電状態に変更する。
【００１５】
本発明に係る非接触式の充電システムは、小形電気機器の機器本体１２に設けた２次電池１１を、非接触式の充電器２で機器本体１２に設けた非接触充電装置３を介して充電する。充電器２は、充電器本体４の内部に、整流回路および電圧調整回路を含む制御回路５と、制御回路５から出力された電流を高周波電流に調整して１次コイル７に出力する発振回路６と、１次側の共振コンデンサー８を備えている。非接触充電装置３は、充電器２の１次コイル７に対応して設けられる２次コイル１３と、２次コイル１３と並列に接続される共振コンデンサー１４を含む共振回路１５と、共振回路１５と２次電池１１との間に配置される整流回路１６とを備えている。整流回路１６と２次電池１１との間に、充放電制御回路１９と、充電電流の電圧値および／または電流値を監視する充電電力監視回路２０・２１を設ける。共振回路１５には、共振コンデンサー１４および／または２次コイル１３の接続状態を切換えて、共振回路１５のインピーダンスを大小に切換える切換えスイッチ２５を設ける。充電電力監視回路２０・２１が、２次電池１１の電圧値および／または電流値が所定値に達したことを検知した満充電状態において、充放電制御回路１９で切換えスイッチ２５を切換えて、共振回路１５を受電状態が最適な第１受電状態から、受電電力が著しく低下する第２受電状態に変更することを特徴とする。
【００１６】
図１０に示すように、１次コイル７と２次コイル１３との間の電磁誘導作用に並行して、漏れ磁束を捕捉するセンシングコイル２８を充電器２に設ける。共振回路１５の受電状態が第２受電状態に変化したことをセンシングコイル２８で検知して、充電器２の充電動作を停止する。
【００１７】
非接触充電装置３に２次電池１１の温度を検知する温度センサー４５を設ける。温度センサー４５が２次電池１１の温度が所定値に達したことを検知した状態において、充放電制御回路１９で切換えスイッチ２５を切換えて、２次電池１１の充電度合とは無関係に、共振回路１５を受電状態が最適な第１受電状態から、受電電力が著しく低下する第２受電状態に変更する。
【発明の効果】
【００１８】
本発明に係る小形電気機器においては、充電器２と非接触充電装置３との間の電磁誘導作用で充電電力を伝送して、小形電気機器に設けた２次電池１１を非接触状態のままで充電できるようにした。また、２次コイル１３、共振コンデンサー１４、および切換えスイッチ２５などで共振回路１５を構成して、切換えスイッチ２５を切換えることにより、２次コイル１３のインダクタンスと、共振コンデンサー１４のキャパシタンスの少なくともいずれか一方を変更できるようにした。このようにインダクタンスまたはキャパシタンスを変更すると、共振回路１５側のインピーダンスを大小に切換えて、共振回路１５の受電状態を最適な受電状態である第１受電状態と、受電電力が著しく低下する第２受電状態に変更することができる。
【００１９】
以上のように、本発明の非接触充電装置３によれば、２次電池１１が満充電された状態において、共振回路１５の受電状態を第２受電状態に切換えるので、過剰な充電電力が供給されるのを防止して、２次電池１１が直ちに過充電状態に陥るのを防止できる。また、小形電気機器１を充電器２に装着した状態における非接触充電装置３は、同装置３を構成する各回路の状態とは無関係に、充電器２の１次コイル７と２次コイル１３間の電磁誘導作用によって僅かな電力が共振回路１５へ伝送される構造になっている。そのため、共振回路１５へ伝送される僅かな電力を利用して、空状態（無電圧状態）になった２次電池１１を徐々に充電することができる。
【００２０】
詳しくは、自己放電作用によって空状態になった２次電池１１を充電器２で充電しようとしても、非接触充電装置３を構成する各回路を作動させるだけの電力が得られないため、２次電池１１を直ちに充電することはできない。しかし、小形電気機器１を充電器２に装着すると、１次コイル７と２次コイル１３間の電磁誘導作用によって僅かな電力が共振回路１５へ伝送され、２次電池１１に対して低電力の充電電流を供給できる。このように、供給される電力が僅かであるとしても、時間の経過とともに２次電池１１は徐々に充電されるので、やがて２次電池１１の電圧を充放電制御回路１９および電圧監視回路２０などが機能できる状態にまで復旧することができる。また、充放電制御回路１９や電圧監視回路２０などが機能し始めた時点で、切換えスイッチ２５がオン側へ切換えられて共振回路１５を第１受電状態に復旧でき、以後は最適の状態で２次電池１１を充電することができる。従って、本発明の非接触充電装置３によれば、２次電池１１が空状態になっていたとしても、非接触充電装置３の充電機能を復旧させて、２次電池１１を的確に満充電状態に充電することができる。
【００２１】
充電電力監視回路が電圧監視回路２０で構成してある場合には、充電電圧の変化に従って２次電池１１が満充電状態になったか否かを判定する。同様に、充電電力監視回路が電流監視回路２１で構成してある場合には、充電電流の変化に従って２次電池１１が満充電状態になったか否かを判定する。いずれの場合にも、２次電池１１が満充電状態になったことを明確に知ることができる。さらに、充電電力監視回路が、電圧監視回路２０および電流監視回路２１の両者で構成してある場合には、充電電圧の変化と充電電流の変化に従って２次電池１１が満充電状態になったか否かを二重に判定できるので、２次電池１１が満充電状態になったことをさらに的確に知ることができる。切換えスイッチ２５を共振コンデンサー１４と直列に接続する共振回路１５においては、切換えスイッチ２５をオン・オフして、共振コンデンサー１４を機能させる状態と、共振コンデンサー１４の機能を停止させる状態との違いで共振回路１５のインピーダンスを変更できる。また、共振回路１５のインピーダンスを変更することによって、共振回路１５の受電状態を、最適な受電状態である第１受電状態と、受電電力が著しく低下する第２受電状態に変更することができる。
【００２２】
切換えスイッチ２５を共振コンデンサー１４と並列に接続して、その一端を２次コイル１３の中途部２７に接続する共振回路１５においては、切換えスイッチ２５をオン・オフすることによって、２次コイル１３のインダクタンスを大小に切換えて共振回路１５のインピーダンスを変更できる。また、共振回路１５のインピーダンスを変更することによって、共振回路１５の受電状態を、最適な受電状態である第１受電状態と、受電電力が著しく低下する第２受電状態に変更することができる。
【００２３】
充電器２と非接触充電装置３との少なくともいずれか一方に表示構造を設け、２次電池１１が満充電された状態において表示構造を作動させると、ユーザーに対して２次電池１１の充電が完了したことを明確に知らせることができる。従って、表示構造が作動した後は、ユーザーに対して小形電気機器１を充電器２から分離し、あるいは充電器２の電源スイッチをオフ操作するなどの後処理を促して、２次電池１１に対して不必要に充電電流が供給されるのを解消できる。発光表示具、発音表示具、発振表示具、および映像表示具の具体例としては、発光ダイオード、スピーカ、振動モータ、および液晶表示具などがある。
【００２４】
２次電池１１が満充電された後に、整流回路１６から供給される僅かな電力を、充放電制御回路１９で機器本体１２へ供給すると、供給された電力を機器本体１２の内部に設けた負荷回路あるいは負荷機器で消費することができる。従って、２次電池１１が満充電された後に、小形電気機器１が充電状態のままで長時間にわたって放置されるような場合であっても、僅かな電力が非接触充電装置３に供給されて蓄積されるのを防止でき、非接触充電装置３が発熱し、あるいは過熱状態に陥るのを解消できる。
【００２５】
非接触充電装置３に温度センサー４５を設ける小形電気機器では、同センサー４５が２次電池１１の温度が所定値に達したことを検知した状態において、充放電制御回路１９で切換えスイッチ２５を切換えて、共振回路１５を第１受電状態から第２受電状態に切換える。このように、２次電池１１の温度状態に対応して、共振回路１５を受電電力が著しく低下する第２受電状態に切換えると、２次電池１１の温度が所定値に達した時点で、充電器２と非接触充電装置３との間の電力伝送を著しく低下させ、さらに、２次電池１１に対する充電電流の供給を停止する。従って、２次電池１１が過熱し、あるいは焼損するなど損傷するのを未然に防止できる。また、充放電制御回路１９のスイッチ２５の切換えは、２次電池１１の充電度合とは無関係に行われるので、２次電池１１が充電途中状態であっても、その温度が異常な高温状態になった時点で直ちに充電を停止することができる。因みに、２次電池１１が満充電された後に、小形電気機器１が充電状態のままで長時間にわたって放置されるような場合には、非接触充電装置３での電力消費が小さくなるため、２次コイル１３のコイル電圧が高くなる。その結果、２次コイル１３に流れる電流が増加し、やがて２次コイル１３の発熱温度が上昇し、２次電池１１が損傷するおそれがある。しかし、上記のように２次電池１１の温度状態を温度センサー４５で監視し、充電制御回路１９で２次電池１１に対する充電電流の供給を停止することにより、２次電池１１を確実に保護することができる。
【００２６】
本発明に係る非接触式の充電システムにおいては、充電器２と非接触充電装置３との間の電磁誘導作用で充電電力を伝送して、小形電気機器に設けた２次電池１１を非接触状態のままで充電できるようにした。また、２次コイル１３、共振コンデンサー１４、および切換えスイッチ２５などで共振回路１５を構成して、切換えスイッチ２５を切換えることにより、２次コイル１３のインダクタンスと、共振コンデンサー１４のキャパシタンスの少なくともいずれか一方を変更できるようにした。このようにインダクタンスまたはキャパシタンスを変更すると、共振回路１５側のインピーダンスを大小に切換えて、共振回路１５の受電状態を最適な受電状態である第１受電状態と、受電電力が著しく低下する第２受電状態に変更することができる。
【００２７】
以上のように、本発明の充電システムによれば、２次電池１１が満充電された状態において、共振回路１５の受電状態を第２受電状態に切換えるので、過剰な充電電力が供給されるのを防止して、２次電池１１が直ちに過充電状態に陥るのを防止できる。また、小形電気機器１を充電器２に装着した状態における非接触充電装置３は、同装置３を構成する各回路の状態とは無関係に、充電器２の１次コイル７と２次コイル１３間の電磁誘導作用によって僅かな電力が共振回路１５へ伝送される構造になっている。そのため、共振回路１５へ伝送される僅かな電力を利用して、空状態（無電圧状態）になった２次電池１１を徐々に充電することができる。
【００２８】
詳しくは、自己放電作用によって空状態になった２次電池１１を充電器２で充電しようとしても、非接触充電装置３を構成する各回路を作動させるだけの電力が得られないため、２次電池１１を直ちに充電することはできない。しかし、小形電気機器１を充電器２に装着すると、１次コイル７と２次コイル１３間の電磁誘導作用によって僅かな電力が共振回路１５へ伝送され、２次電池１１に対して低電力の充電電流を供給できる。このように、供給される電力が僅かであるとしても、時間の経過とともに２次電池１１は徐々に充電されるので、やがて２次電池１１の電圧を充放電制御回路１９および電圧監視回路２０などが機能できる状態にまで復旧することができる。また、充放電制御回路１９や電圧監視回路２０などが機能し始めた時点で、切換えスイッチ２５がオン側へ切換えられて共振回路１５を第１受電状態に復旧でき、以後は最適の状態で２次電池１１を充電することができる。従って、本発明の充電システムによれば、２次電池１１が空状態になっていたとしても、非接触充電装置３の充電機能を復旧させて、２次電池１１を的確に満充電状態に充電することができる。
【００２９】
共振回路１５の受電状態が第２受電状態に変化したことを、充電器２に設けたセンシングコイル２８で検知する充電システムにおいては、２次コイル１３の共振周波数が非同調側へシフトされるに伴って、１次コイル７の共振状態が変化し、同時にセンシングコイル２８の起電力が変化する。このセンシングコイル２８の捕捉信号に基づき制御回路５が商用電源９に連なる電源回路を遮断することにより、充電器２の充電動作を自動的に停止することができる。従って、充電完了後に充電器２の電源スイッチをオフ操作するなど、ユーザーが行うべき後処理の手間を省くことができる。また、２次電池１１が満充電された後に、小形電気機器１が充電状態のままで長時間にわたって放置されるような場合であっても、２次電池１１に対する充電を完全に停止して、充電器２による電力の無駄な消費を解消でき、非接触充電装置３および２次電池１１の状態を適正な状態に維持できる。
【００３０】
非接触充電装置３に温度センサー４５を設ける充電システムでは、同センサー４５が２次電池１１の温度が所定値に達したことを検知した状態において、充放電制御回路１９で切換えスイッチ２５を切換えて、共振回路１５を第１受電状態から第２受電状態に切換える。このように、２次電池１１の温度状態に対応して、共振回路１５を受電電力が著しく低下する第２受電状態に切換えると、２次電池１１の温度が所定値に達した時点で、充電器２と非接触充電装置３との間の電力伝送を著しく低下させ、さらに、２次電池１１に対する充電電流の供給を停止する。従って、２次電池１１が過熱し、あるいは焼損するなど損傷するのを未然に防止できる。また、充放電制御回路１９のスイッチ２５の切換えは、２次電池１１の充電度合とは無関係に行われるので、２次電池が充電途中状態であっても、その温度が異常な高温状態になった時点で直ちに充電を停止することができる。
【図面の簡単な説明】
【００３１】
【図１】本発明の実施例１に係る小形電気機器、および非接触式の充電システムの概略説明図である。
【図２】実施例２に係る小形電気機器、および非接触式の充電システムの概略説明図である。
【図３】実施例３に係る小形電気機器、および非接触式の充電システムの概略説明図である。
【図４】実施例４に係る小形電気機器、および非接触式の充電システムの概略説明図である。
【図５】実施例５に係る小形電気機器、および非接触式の充電システムの概略説明図である。
【図６】実施例６に係る小形電気機器、および非接触式の充電システムの概略説明図である。
【図７】実施例７に係る小形電気機器、および非接触式の充電システムの概略説明図である。
【図８】実施例８に係る小形電気機器、および非接触式の充電システムの概略説明図である。
【図９】実施例９に係る小形電気機器、および非接触式の充電システムの概略説明図である。
【図１０】実施例１０に係る小形電気機器、および非接触式の充電システムの概略説明図である。
【発明を実施するための形態】
【００３２】
（実施例１）  図１は本発明に係る小形電気機器と充電器とからなる充電システムの概略を示しており、符号１は小形電気機器、符号２は充電器、符号３は小形電気機器１の一部に設けた非接触充電装置である。充電システムは、小形電気機器の機器本体１２に設けた２次電池１１を、非接触式の充電器２で機器本体１２に設けた非接触充電装置３を介して充電する。充電器２は、充電器本体４の内部に、制御回路５および発振回路６と、発振回路６で調整された高周波電流を受けて誘導磁界を生成する１次コイル７と、１次側の共振コンデンサー８などを配置して構成してある。制御回路５には、商用電源９から供給される交流電流を全波整流する整流回路と、整流された電流を所定の電圧に調整する電圧調整回路などが設けてある。発振回路６は、制御回路５から出力された電流を高周波電流に調整して１次コイル７に出力する。図示していないが、制御回路５と商用電源９との間には、給電状態をオン・オフする電源スイッチが設けてある。なお、１次コイル７は充電器本体４の内部に組込んであるので、充電器本体４の外部から視認することはできない。
【００３３】
非接触充電装置３は、小形電気機器１の機器本体１２に設けたリチウムイオン２次電池（以下、単に２次電池と言う。）１１を充電するために設けてあり、２次電池１１とともに機器本体１２の内部に組込んである。非接触充電装置３は、充電器２の１次コイル７に対応して設けられる２次コイル１３と、２次コイル１３と並列に接続される共振コンデンサー１４を含む共振回路１５と、共振回路１５と２次電池１１との間に配置される整流回路１６などを備えている。さらに、非接触充電装置３は、共振回路１５と２次電池１１との間に、レギュレータ回路１８と、充放電制御回路１９と、充電電流の電圧値を監視する電圧監視回路（充電電力監視回路）２０を備えている。符号２２は２次電池１１の電力を供給する給電路であり、この給電路２２を介して供給される電力で、小形電気機器１を構成する負荷回路あるいは負荷機器を駆動する。
【００３４】
小形電気機器１を、電源がオンされた充電器２に装着し、あるいは充電器２の近傍に配置して、２次コイル１３を１次コイル７に正対させた状態では、両コイル７・１３間の電磁誘導作用で充電器２から非接触充電装置３へと充電電力が伝送される。このときの電磁誘導作用を最適な状態（以下、この状態を第１受電状態と言う。）にするために、第２コイル１３のインダクタンスと、２次側の共振コンデンサー１４のキャパシタンスとが、１次コイル７の共振周波数と適合できるように設定してある。第１受電状態における共振回路１５は充電器２からの受電電力が最大で最適な状態になっている。
【００３５】
共振回路１５から送給される高周波電流は、整流回路１６で整流され、さらにレギュレータ回路１８で充電に適した電圧に調整されたのち、充放電制御回路１９と電圧監視回路２０を介して２次電池１１へ供給される。充放電制御回路１９は、電圧監視回路２０からの監視信号を受けて、２次電池１１が所定の電圧に達して満充電状態になるまでの間第１受電状態を保持して、レギュレータ回路１８から供給される最適な充電電流を２次電池１１に供給する。
【００３６】
非接触充電装置３の基本構造は以上のとおりであるが、本発明においては、２次電池１１が満充電された後に２次電池１１が過充電されるのを防ぐために、共振回路１５に過充電防止のための構造を付加する点に特徴がある。具体的には、共振コンデンサー１４と直列に切換えスイッチ２５を設け、２次電池１１を充電する過程と、２次電池１１が満充電された後の状態とで切換えスイッチ２５を切換えて、共振回路１５の受電状態を第１受電状態から第２受電状態へ切換えるようにした。
【００３７】
具体的には、第１受電状態においては、切換えスイッチ２５がオン側に切換えられていて、２次コイル１３と共振コンデンサー１４の並列接続を維持しており、１次コイル７から伝送される電力を共振回路１５が最適な状態で受電できるようにしている。また、第２受電状態においては、切換えスイッチ２５をオフ状態に切換えて、共振コンデンサー１４の２次コイル１３に対する並列接続を遮断して、共振回路１５のインピーダンスを大きく変化させ、２次コイル１３の共振周波数を非同調側へシフトさせる。これに伴い、第２受電状態においては、１次コイル７から共振回路１５へ伝送される電力の伝送効率が著しく低下する。しかし、第２受電状態において共振回路１５へ伝送される電力がゼロになることはなく、僅かな電力が共振回路１５へ伝送される。
【００３８】
上記のように、共振コンデンサー１４の接続を遮断し、２次コイル１３の共振周波数を非同調側へシフトさせると、共振回路１５の受電電力が著しく低下するので、非接触充電装置３が充電器２から無駄に受電するのを解消して、２次電池１１が過充電状態に陥るのを解消できる。また、２次コイル１３の共振周波数が非同調側へシフトするのに伴って１次コイル７の共振点がずれ、発振回路６側のインピーダンスが高くなるため、充電器２の消費電力を減少することができる。以上のように、この実施例では、２次電池１１の充電状態に対応して切換えスイッチ２５を切換えて、共振コンデンサー１４の接続状態を変更することにより、共振回路１５のインピーダンスを大小に変更できるようにした。
【００３９】
共振回路１５が、最適な電力伝送状態である第１受電状態から、２次電池１１が満充電されて第２受電状態に切換えられたことを表示するために、充電器本体４の外面に発光ダイオード（発光表示具）２６を設けている。発光ダイオード２６は、第１受電状態が開始されるのと同時に点灯して、２次電池１１が充電途中状態であることを表示する。また、２次電池１１が満充電された状態では、１次コイル７の共振点がずれて充電器２の消費電力が減少するので、そのことを制御回路５で検知して、発光ダイオード２６を一定間隔おきに明滅させる。このように、発光ダイオード２６が連続点灯状態から明滅状態へ切換わることで、ユーザーは２次電池１１の充電が完了したことを知ることができる。
【００４０】
多くの場合には、発光ダイオード２６の明滅状態を確認した後は、ユーザーが小形電気機器１を充電器２から分離し、あるいは充電器２の電源スイッチをオフ操作して充電作業を終了する。しかし、２次電池１１が満充電された後にも、小形電気機器１が充電器２に対して充電可能な状態のままで放置されることがある。その場合の共振回路１５は、第２受電状態に切換わっており、受電効率が著しく低い状態ではあるものの、僅かな電力が共振回路１５へ伝送され続ける。そのため、放置時間が長引くと非接触充電装置３が発熱して過熱状態に陥るおそれがある。こうした非接触充電装置３の発熱や過熱等を防ぐために、２次電池１１が満充電された後には、充放電制御回路１９の内部回路を切換えて、整流回路１６から供給される微小電力を機器本体１２へ供給できるようにしている。機器本体１２へ供給された電力は、その内部に設けた負荷回路あるいは負荷機器に供給されて消費される。
【００４１】
小形電気機器１の使用に伴って２次電池１１の電圧が所定値以下になると、充放電制御回路１９は電圧監視回路２０からの監視信号を受けて、２次電池１１の充電が必要であることを機器本体１２側の表示具で表示したのち、２次電池１１から機器本体１２への電力の供給を停止する。なお、図示していない機器本体１２側の表示具としては、発光表示具、発音表示具、発振表示具、映像表示具のいずれかを適用することができる。
【００４２】
小形電気機器１が不使用状態のままで長期にわたって放置されることがあり、その場合には、自己放電作用によって２次電池１１が空状態になることがある。この状態の小形電気機器１を充電器２で充電しようとしても、非接触充電装置３を構成する各回路を作動させるだけの電力が得られないため、２次電池１１を適正な状態で直ちに充電することはできない。しかし、小形電気機器１を充電器２に装着すると、非接触充電装置３を構成する各回路の状態とは無関係に、１次コイル７と２次コイル１３間の電磁誘導作用によって僅かな電力が共振回路１５へ伝送され、２次電池１１に対して低電力を供給することができる。
【００４３】
上記のように僅かな電力であっても、時間の経過とともに２次電池１１は供給された電力で徐々に充電されるため、やがて２次電池１１の電圧を充放電制御回路１９および電圧監視回路２０などが機能できる状態にまで復旧することができる。また、充放電制御回路１９や電圧監視回路２０などが機能し始めた時点では、２次電池１１の電圧が低いため、切換えスイッチ２５はオン側へ切換えられて共振回路１５を第１受電状態に保持する。従って、以後は最適の状態で２次電池１１を充電することができ、たとえ２次電池１１が空状態になっていたとしても、２次電池１１を的確に満充電状態に充電することができる。なお、充放電制御回路１９および電圧監視回路２０が機能し始めるときの２次電池１１の電圧は、充放電制御回路１９がユーザーに対して２次電池１１の充電を促すときの電圧より充分に低い。
【００４４】
（実施例２）  図２は非接触充電装置３の一部を変更した実施例２に係る小形電気機器１を示している。そこでは、実施例１の非接触充電装置３と同様に、電圧監視回路２０から送られた監視信号を充放電制御回路１９で受けて、２次電池１１が満充電状態になったことを判定して共振回路１５のインピーダンスを変更する。この実施例では、切換えスイッチ２５を共振コンデンサー１４と並列に接続し、切換えスイッチ２５の一方の端子を２次コイル１３の中途部２７に接続する点が実施例１と異なる。
【００４５】
この実施例における第１受電状態では、切換えスイッチ２５が充放電制御回路１９でオフ位置に切換えられており、切換えスイッチ２５が充放電制御回路１９でオン位置へ切換えられた状態のとき第２受電状態となる。第２受電状態においては、２次コイル１３の中途部が切換えスイッチ２５を介して短絡されるので、その有効巻数およびインダクタンスが第１受電状態とは大きく異なることとなり、２次コイル１３の共振周波数を非同調側へシフトさせて共振回路１５のインピーダンスを変更できる。その結果、共振回路１５の受電電力を著しく低下させて、２次電池１１が過充電状態に陥るのを解消でき、さらに、無駄な受電を解消できる。また、２次コイル１３の共振周波数が非同調側へシフトするのに伴って、１次コイル７の共振点がずれて発振回路６側のインピーダンスが高くなるため、充電器２の消費電力を減少することができる。
【００４６】
以上のように、実施例２の非接触充電装置３では、２次電池１１の充電状態に対応して切換えスイッチ２５をオン・オフすることにより、２次コイル１３の接続状態を変更して共振回路１５のインピーダンスを変更できる。他は実施例１と同じであるので、同じ部材に同じ符号を付してその説明を省略する。以下に説明する実施例においても同じとする。
【００４７】
（実施例３）  図３は非接触充電装置３の一部を変更した実施例３に係る小形電気機器１を示している。そこでは、実施例１の非接触充電装置３と同様に、切換えスイッチ２５を共振コンデンサー１４と直列に接続するが、充放電制御回路１９と電圧監視回路２０との間に電流監視回路（充電電力監視回路）２１を配置する点が実施例１と異なる。この実施例では、電流監視回路２１から送られた監視信号にもとづき、２次電池１１が満充電状態になったことを充放電制御回路１９で判定して、共振回路１５のインピーダンスを変更する。２次電池１１を充電する過程では、２次電池１１の電圧が徐々に増加するのに伴って、電流監視回路２１を流れる電流値が変化するので、この電流変化を監視することにより、２次電池１１が満充電状態になったことを充放電制御回路１９で判定できる。
【００４８】
（実施例４）  図４は非接触充電装置３の一部を変更した実施例４に係る小形電気機器１を示している。そこでは、実施例２の非接触充電装置３と同様に、切換えスイッチ２５を共振コンデンサー１４と並列に接続し、切換えスイッチ２５の一方の端子を２次コイル１３の中途部２７に接続する。また、実施例３と同様に、充放電制御回路１９と電圧監視回路２０との間に電流監視回路２１を配置して、電流監視回路２１から送られた監視信号にもとづき、２次電池１１が満充電状態になったことを充放電制御回路１９で判定している。
【００４９】
実施例３および実施例４の非接触充電装置３は、電圧監視回路２０と電流監視回路２１とを備えているので、必要があれば、電圧監視回路２０と電流監視回路２１から送られた各監視信号にもとづき、２次電池１１が満充電状態になったか否かを充放電制御回路１９で判定することができる。
【００５０】
（実施例５）  図５は充電器２の一部を変更した実施例５を示している。そこでは、充電器本体４の内部にセンシングコイル２８を設けて、１次コイル７と２次コイル１３との間の電力伝送時に、センシングコイル２８で漏れ磁束を捕捉できるようにした。先に説明したように、非接触充電装置３が第２受電状態に切換わると、２次コイル１３の共振周波数が非同調側へシフトされ、同時に１次コイル７の共振点がずれて発振回路６側のインピーダンスが高くなる。この１次コイル７の共振状態の変化に伴って、センシングコイル２８の起電力が変化する。従って、センシングコイル２８の捕捉信号に基づき制御回路５を作動させて、商用電源９に連なる電源回路を遮断することにより、充電器２の充電動作を自動的に停止することができる。
【００５１】
（実施例６）  図６（ａ）〜（ｃ）は非接触充電装置３のさらに別の実施例を示す。図６（ａ）では、実施例１で説明した共振コンデンサー１４とは別に補助コンデンサー３１を設けて、両コンデンサー１４・３１を並列に接続して、いずれか一方のコンデンサー１４・３１を切換えスイッチ２５を介して２次コイル１３と導通できるようにした。共振コンデンサー１４のキャパシタンスは１次コイル７の共振周波数と適合する値に設定しておく。これに対して補助コンデンサー３１のキャパシタンスは、２次コイル１３の共振周波数を非同調側へシフトできる値に設定する。
【００５２】
常態における切換えスイッチ２５は、共振コンデンサー１４のみを２次コイル１３と導通させている。２次電池１１の充電が完了した状態では、切換えスイッチ２５を切換えて共振コンデンサー１４の導通状態を遮断し、補助コンデンサー３１を２次コイル１３と導通させる。これにより共振回路１５のインピーダンスが変化するので、２次コイル１３の共振周波数を非同調側へシフトさせて、共振回路１５へ伝送される電力を著しく減少できる。このように、第２受電状態において補助コンデンサー３１を２次コイル１３と導通させる非接触充電装置３によれば、補助コンデンサー３１のキャパシタンスを厳密に設定することができるので、２次コイル１３の共振周波数を非同調側へシフトさせるときのシフト量を厳密に規定できる。
【００５３】
図６（ｂ）に示す非接触充電装置３においては、共振コンデンサー１４とは別に、補助コンデンサー３１と導通路３２を設けて、切換えスイッチ２５を共振コンデンサー１４と直列に接続した。この非接触充電装置３では、第１受電状態のとき共振コンデンサー１４と導通路３２とを切換えスイッチ２５を介して導通させる。また、第２受電状態では、共振コンデンサー１４と補助コンデンサー３１とが直列状態で導通するように切換えスイッチ２５を切換えて、２次コイル１３の共振周波数を非同調側へシフトさせて、共振回路１５へ伝送される電力を著しく減少させる。
【００５４】
図６（ｃ）に示す非接触充電装置３においては、２次コイル１３とは別に補助コイル３３を設けて、補助コイル３３を２次コイル１３と並列に配置し、いずれか一方のコイル１３・３３を切換えスイッチ２５を介して共振コンデンサー１４と導通できるようにした。２次コイル１３のインダクタンスは１次コイル７の共振周波数と適合する値に設定しておく。補助コイル３３のインダクタンスは、１次コイル７の共振周波数に対して非同調側へシフトした値に設定する。
【００５５】
常態における切換えスイッチ２５は、２次コイル１３を共振コンデンサー１４に対して並列する状態で導通させる。２次電池１１の充電が完了した後には、切換えスイッチ２５を切換えて２次コイル１３の導通状態を遮断し、補助コイル３３を共振コンデンサー１４に対して並列する状態で導通させて共振回路１５を第２受電状態にする。この受電状態では、補助コイル３３の共振周波数が、１次コイル７に対して非同調側へシフトされた状態となるため、共振回路１５へ伝送される電力を著しく減少できる。このように、第２受電状態において補助コイル３３を共振コンデンサー１４と導通させる非接触充電装置３によれば、補助コイル３３を１次コイル７に対して非同調側へシフトさせるときのシフト量を厳密に規定できる。この実施例における補助コイル３３は省略することができ、その場合には、補助コイル３３側のスイッチ接点を、図２と同様に２次コイル１３の中途部２７に接続しておけばよい。
【００５６】
図６（ａ）から（ｃ）で説明した非接触充電装置３は以下の形態で実施することができる。
図６（ａ）の非接触充電装置３は、共振回路１５に、共振コンデンサー１４および補助コンデンサー３１と、いずれか一方のコンデンサー１４・３１を２次コイル１３と導通する切換えスイッチ２５とが設けられており、満充電状態において、切換えスイッチ２５を充放電制御回路１９で切換えることにより、補助コンデンサー３１を２次コイル１３と導通させて共振回路１５を第２受電状態にする。
図６（ｂ）の非接触充電装置３は、共振回路１５に、共振コンデンサー１４と、補助コンデンサー３１と、導通路３２と、これら３者の導通状態を切換える切換えスイッチ２５とが設けられており、満充電状態において、切換えスイッチ２５を充放電制御回路１９で切換えることにより、共振コンデンサー１４を補助コンデンサー３１を介して２次コイル１３と導通させて共振回路１５を第２受電状態にする。
図６（ｃ）の非接触充電装置３は、共振回路１５に、２次コイル１３と補助コイル３３とが並列に配置されており、満充電状態において、補助コイル３３を切換えスイッチ２５を介して共振コンデンサー１４と導通させて共振回路１５を第２受電状態にする。
【００５７】
（実施例７）  図７（ａ）・（ｂ）は非接触充電装置３のさらに別の実施例を示す。図７（ａ）では、図６（ａ）の共振回路１５と同様に、共振コンデンサー１４とは別に補助コンデンサー３１を設けて、両コンデンサー１４・３１を並列に接続して、いずれか一方のコンデンサー１４・３１を切換えスイッチ２５を介して２次コイル１３と導通できるようにした。また、切換えスイッチ２５と２次コイル１３との間に別の切換えスイッチ３５を設けて、その一方の端子を導通路３６を介して２次コイル１３に接続し、その他方の端子を導通路３７を介して２次コイル１３の中途部２７に接続するようにした。
【００５８】
この非接触充電装置３では、第１受電状態のとき共振コンデンサー１４を切換えスイッチ２５を介して導通させ、さらに２次コイル１３を導通路３６と切換えスイッチ３５を介して導通させる。また、第２受電状態では、切換えスイッチ２５を切換えて補助コンデンサー３１を導通させるか、切換えスイッチ３５を切換えて導通路３７を導通させて、共振回路１５の共振周波数を非同調側へシフトさせて、共振回路１５へ伝送される電力を著しく減少させる。
【００５９】
上記のように、２個の切換えスイッチ２５・３５で、共振コンデンサー１４と補助コンデンサー３１を切換え、あるいは２次コイル１３の巻数を切換える共振回路１５によれば、両スイッチ２５・３５の切換え状態を異ならせることにより、共振回路１５の共振周波数を大きく変化させ、あるいは小さく変化させることができる。また、同じ共振周波数でも、キャパシタンスとインダクタンスの割合を変化させて、共振回路１５のインピーダンスを変更することができる。
【００６０】
図７（ｂ）では、図６（ｂ）の共振回路１５と同様に、共振コンデンサー１４とは別に補助コンデンサー３１を設けて、両コンデンサー１４・３１を直列に接続して、いずれか一方のコンデンサー１４・３１を切換えスイッチ２５を介して２次コイル１３と導通できるようにした。また、切換えスイッチ２５と２次コイル１３との間に別の切換えスイッチ３５を設けて、その一方の端子を導通路３６を介して２次コイル１３に接続し、その他方の端子を導通路３７を介して２次コイル１３の中途部２７に接続するようにした。
【００６１】
この非接触充電装置３では、第１受電状態のとき共振コンデンサー１４を切換えスイッチ２５を介して導通させ、さらに２次コイル１３を導通路３６と切換えスイッチ３５を介して導通させる。また、第２受電状態では、切換えスイッチ２５を切換えて補助コンデンサー３１を導通させるか、切換えスイッチ３５を切換えて導通路３７を導通させて、共振回路１５の共振周波数を非同調側へシフトさせて、共振回路１５へ伝送される電力を著しく減少させる。この実施例の共振回路１５においても、図７（ａ）の共振回路１５と同様に、共振回路１５の共振周波数を大きく変化させ、あるいは小さく変化させることができる。また、同じ共振周波数でも、キャパシタンスとインダクタンスの割合を変化させて、共振回路１５のインピーダンスを変更することができる。
【００６２】
図７で説明した非接触充電装置３は以下の形態で実施することができる。
図７（ａ）の非接触充電装置３は、共振回路１５に、並列に配置される共振コンデンサー１４および補助コンデンサー３１と、いずれか一方のコンデンサー１４・３１を導通する切換えスイッチ２５と、２次コイル１３の端部に接続される導通路３６と、２次コイル１３の中途部２７に接続される導通路３７と、いずれか一方の導通路３６・３７を導通する切換えスイッチ３５とが設けられており、
満充電状態において、切換えスイッチ２５を充放電制御回路１９で切換えることにより、補助コンデンサー３１を２次コイル１３と導通させて共振回路１５を第２受電状態にし、
あるいは、切換えスイッチ３５を充放電制御回路１９で切換えることにより、導通路３７を導通させて共振回路１５を第２受電状態にする。
図７（ｂ）の非接触充電装置３は、共振回路１５に、共振コンデンサー１４および補助コンデンサー３１と、両コンデンサー１４・３１を導通し、あるいは共振コンデンサー１４のみを２次コイル１３と導通させる切換えスイッチ２５と、２次コイル１３の端部に接続される導通路３６と、２次コイル１３の中途部２７に接続される導通路３７と、いずれか一方の導通路３６・３７を導通する切換えスイッチ３５とが設けられており、
満充電状態において、切換えスイッチ２５を充放電制御回路１９で切換えることにより、共振コンデンサー１４と補助コンデンサー３１を導通させて共振回路１５を第２受電状態にし、
あるいは、切換えスイッチ３５を充放電制御回路１９で切換えることにより、導通路３７を導通させて共振回路１５を第２受電状態にする。
【００６３】
（実施例８）  図８は非接触充電装置３のさらに別の実施例を示す。２次電池１１の保護のために、共振回路１５を第２受電状態に切換えて共振周波数を非同調側へシフトさせた状態では、非接触充電装置３は充電器２に対して無応答状態となる。こうした場合でも、充電器２と非接触充電装置３との間の通信を確立するために、充電器２の側に１次コイル７とは別に通信コイル３９を設けておき、第２受電状態に切換わった２次コイル１３と通信コイル３９との間で通信を行なえるようにしている。これにより、第２受電状態に切換わった後に、２次電池１１の電力状態を充電器２の側で確認することができる。なお、図８における充電器２の詳細構造は、図１で説明した充電器と同じであるので、共振コンデンサー８などの詳細構造は図示省略した。
【００６４】
以上のように構成した非接触充電装置３は、２次電池１１が満充電された状態で出荷するが、出荷後、長期にわたって保管されるような場合に、２次電池１１の自己放電作用で電力が消耗する。さらに、僅かではあっても充放電制御回路１９によって２次電池１１の電力が消費され続ける。そのため、充放電制御回路１９が消費した電力の分だけ、未使用状態のまま保管した場合の２次電池１１の保証期間が短くなる。こうした、長期保管時の充放電制御回路１９による電力の消費を防ぐために、ユーザーが初めて小型電気機器１を使用するまでの間、充放電制御回路１９による電力の消費を強制的に停止するようにした。
【００６５】
（実施例９）  具体的には、図９に示すように、充放電制御回路１９に受信コントローラ４０を設け、２次電池１１と充放電制御回路１９とを導通する出力リードの中途部に給電スイッチ４１を配置して、工場出荷状態において給電スイッチ４１をオフ状態に保持できるようにした。これにより、小形電気機器１が長期にわたって保管された場合でも、充放電制御回路１９による電力の消費を防止して、２次電池１１の電力が、保証期間に達する前に保証値以下になるのを確実に防止できる。符号４２は２次電池１１の保護回路である。
【００６６】
給電スイッチ４１は、小形電気機器１を購入したユーザーが始めて２次電池１１の充電を行う際に、オン状態に切換えられる。詳しくは、共振回路１５が作動したことを受信コントローラ４０で検知して、給電スイッチ４１をオン状態に切換える。あるいは、充電器２の側から共振回路１５を介して受信コントローラ４０にコマンドを与えて、給電スイッチ４１をオン状態に切換える。一旦オン状態に切換えられた給電スイッチ４１は、オフ状態に復帰することはなく、従って、初回に充電した後は、非接触充電装置３を適正に使用することができる。なお、小形電気機器の取扱説明書に、初回使用時にまず充電を行う必要があることを記載しておくことにより、給電スイッチ４１の切換えをさらに確実に行うことができる。
【００６７】
非接触充電装置３が組込まれた小形電気機器１は、検査工程で動作テストを行う必要があるが、その際に給電スイッチ４１がオン状態に切換えられてしまうと、出荷後の充放電制御回路１９による電力の消費を防ぐことができなくなる。こうした、不具合を解消するために、給電スイッチ４１をオフ状態に復帰させる端子を充放電制御回路１９に設けておくことにより、検査工程で動作テストを行ったのちに、オン状態に切換わった給電スイッチ４１をオフ状態に復帰することができる。また、２次電池１１を電池ホルダーから取外すことにより、給電スイッチ４１をオフ状態に復帰させるようにしてもよい。
【００６８】
図９で説明した非接触充電装置３は以下の形態で実施することができる。
機器本体１２に２次電池１１と、非接触式の充電器２に対応する非接触充電装置３とが設けられており、
非接触充電装置３は、充電器２の１次コイル７に対応して設けられる共振回路１５と、共振回路１５と２次電池１１との間に配置される充放電制御回路１９とを備えており、
２次電池１１が満充電された状態において、充放電制御回路１９で共振回路１５を受電状態が最適な第１受電状態から、受電電力が著しく低下する第２受電状態に変更する小形電気機器であって、
２次電池１１と充放電制御回路１９を導通する導通リードに、充放電制御回路１９への給電状態をオン状態とオフ状態に切換える給電スイッチ４１が設けられており、
給電スイッチ４１は、小形電気機器の出荷時にはオフ状態に切換えられており、ユーザーの初回充電動作に伴って、充放電制御回路１９で給電スイッチ４１をオン状態に切換えることを特徴とする小形電気機器。
【００６９】
上記の各実施例では、満充電された２次電池１１が過充電されるのを防ぐために、共振回路１５の共振周波数を非同調側へシフトさせて、共振回路１５へ伝送される電力を著しく減少させる。このように、２次電池１１が満充電されて、非接触充電装置３の作動が実質的に停止された時点で、通常は、充電器２の電源をオフして小形電気機器を使用する。しかし、非接触充電装置３の作動が実質的に停止された状態のままで、長時間にわたって放置された場合には、次のような問題を生じる。２次電池１１が満充電されて非接触充電装置３の作動が実質的に停止された状態では、非接触充電装置３での電力消費が小さくなるため、２次コイル１３のコイル電圧が高くなる。その結果、２次コイル１３に流れる電流が増加し、やがて２次コイル１３の発熱温度が上昇し、２次電池１１が損傷するおそれがある。このように、ユーザーの使用形態が不適切であった場合にも、２次側の発熱による２次電池１１の損傷を確実に防ぐ必要がある。そのために充電システムを改良して、以下に説明する実施例１０の充電システムとした。
【００７０】
（実施例１０）  図１０の充電システムは、実施例１の充電システムと同じ基本構造を採るが、非接触充電装置３に２次電池１１の温度を検知する温度センサー４５を設ける点と、実施例５と同様に充電器本体４の内部にセンシングコイル２８を設ける点とが異なる。温度センサー４５は、主に充電時の２次電池１１の温度を検知するために設けるが、放電時の２次電池１１の温度異常を監視するために利用することができる。充電時の２次電池１１の温度が所定値に達した状態（異常な高温状態になった状態）においては、温度センサー４５からの検知信号を受けた充放電制御回路１９は、切換えスイッチ２５をオフ状態に切換えて、共振回路１５を受電電力が著しく低下する第２受電状態に切換える。このスイッチ切換えは、２次電池１１の充電度合とは無関係に行われる。従って、２次電池が充電途中状態であっても、その温度が異常な高温状態になった場合に、直ちに充電器２と非接触充電装置３との間の電力伝送を著しく低下させて、２次電池１１が損傷するのを未然に防止できる。
【００７１】
共振回路１５が第２受電状態に切換えられた状態では、２次コイル１３の共振周波数が非同調側へシフトされ、同時に１次コイル７の共振状態が変化する。この１次コイル７の共振状態の変化に伴って、漏れ磁束を捕捉するセンシングコイル２８の起電力が、第１受電状態のときの起電力から変化する。つまり、共振回路１５の受電状態が第２受電状態に変化したことをセンシングコイル２８で検知することができる。従って、センシングコイル２８の捕捉信号の変化に基づき制御回路５を作動させて、商用電源９に連なる電源回路を遮断することにより、充電器２の充電動作を自動的に停止して、電力が無駄に消費されるのを防止できる。
【００７２】
上記の実施例では、２次電池１１がリチウムイオン２次電池である場合について説明したが、充電対象の２次電池はニッケルカドミウム電池、ニッケル水素２次電池などであってもよい。表示構造は、発光ダイオードに代表される発光表示具、スピーカに代表される発音表示具、振動モータに代表される発振表示具、液晶に代表される映像表示具のいずれかひとつ、あるいはこれらの組み合わせで構成することができる。本発明は、携帯電話、スマートフォン、ノートパソコン、タブレットなどの携帯機器、あるいは歯ブラシ、シェーバー、キーレスエントリーキー、補聴器などの小形電気機器に適用できる。また、本発明の非接触充電装置３は、出力端子を備えた１個の電源モジュールとして使用することができ、その場合には電源モジュールを単体で販売することができる。
【符号の説明】
【００７３】
１  小形電気機器
２  充電器
３  非接触充電装置
７  １次コイル
１１  ２次電池
１３  ２次コイル
１４  共振コンデンサー
１５  共振回路
１６  整流回路
１９  充放電制御回路
２０  電圧監視回路（充電電力監視回路）
２１  電流監視回路（充電電力監視回路）
２５  切換えスイッチ
【図１】
2013212043.tif 000003
【図２】
2013212043.tif 000004
【図３】
2013212043.tif 000005
【図４】
2013212043.tif 000006
【図５】
2013212043.tif 000007
【図６】
2013212043.tif 000008
【図７】
2013212043.tif 000009
【図８】
2013212043.tif 000010
【図９】
2013212043.tif 000011
【図１０】
2013212043.tif 000012